(57)【特許請求の範囲】
【請求項１】
猟銃弾が、推進かご（１１）内に配置されており、かつ軸線方向通過穴（７．１，７．２，７．３，７．４）を持つ銃弾周面（２）を有し、この通過穴内において、銃弾心（３）が軸線方向に案内されており、この銃弾心が、空気抵抗の少ない尖端を有する銃弾頭部（３．１）、及び底板（９）を後端に有する銃弾軸（８）からなり、発射展開の前に、銃弾頭部（３．１）が銃弾周面（２）内に沈められており、かつ銃弾軸（８）が銃弾周面（２）の後側端部から突出しており、一方発射展開の直後に、銃弾頭部（３．１）の尖端（４）が銃弾周面（２）から前方に出るように、銃弾周面（２）と銃弾心（３）が互いに相対的に移動し、その際この運動が、銃弾周面（２）の後側端部に当たる銃弾軸（８）の底板（９）によって制限され、達成される外部弾道的に望ましい銃弾の形が、少なくとも飛行段階の間、銃弾周面（２）への銃弾軸（８）の固定により維持される、とくに部分的に又は完全に旋条を有する銃身を有する猟銃のための小口径の猟銃弾。
【請求項２】
銃弾軸（８）が、銃弾心（３）の移動の最後に、その周を銃弾周面（２）に固定され、それにより銃弾の形が、少なくとも目標に当たるまで安定化されることを特徴とする、請求項１に記載の小口径の猟銃弾。
【請求項３】
銃弾心（３）が、少なくとも部分的に銃弾周面（２）よりも硬い材料からなることを特徴とする、請求項１又は請求項２に記載の小口径の猟銃弾。
【請求項４】
銃弾心（３）が少なくとも部分的に鋼からなり、かつ銃弾周面（２）が銅からなることを特徴とする、請求項３に記載の小口径の猟銃弾。
【請求項５】
銃弾軸（８）が鋼からなり、かつ銃弾頭部（３．１）が軽金属又は合成物質からなることを特徴とする、請求項３又は４の１つに記載の小口径の猟銃弾。
【請求項６】
銃弾頭部（３．１）が、細い円錐形の形の尖端（４）を有し、かつ装填位置において大部分銃弾周面（２）内に沈められていることを特徴とする、請求項２ないし５の１つに記載の小口径の猟銃弾。
【請求項７】
底板（９）と銃弾周面（２）との互いに向き合った端面（９．１，２．２）の間の間隔（ａ）が、銃弾周面（２）内への銃弾頭部（３．１）の尖端（４）の侵入深さ（ｂ）に等しいことを特徴とする、請求項６に記載の小口径の猟銃弾。
【請求項８】
銃弾頭部（３．１）が、銃弾心（３）の移動の最後に、その外周によって銃弾周面（２）の機首側端面（２．１）を閉じることを特徴とする、前記請求項２ないし７の１つに記載の小口径の猟銃弾。
【請求項９】
銃弾頭部（３．１）の変形特性を制御するために、この銃弾頭部の材料及び／又は構成（中実又は中空）が変化されていることを特徴とする、前記請求項２ないし８の１つに記載の小口径の猟銃弾。
【発明の詳細な説明】
【０００１】
本発明は、推進かごによって収容された、とくに部分的に又は完全に旋条を有する銃身を有する猟銃のための小口径の猟銃弾に関する。
【０００２】
サボートとも称する推進かごを有する小口径の猟銃弾は、一層良好な発射精度及び一層大きな目標エネルギーのためにとくに完全に又は部分的に旋条を有する銃身を有する猟銃においてますます望まれる。このような銃弾に対する例は、ドイツ連邦共和国特許出願公開第２４４４１８１及び１７０３１１９号明細書にある。銃身から出た後に、推進かごと銃弾は分離し、この銃弾は、それから単独で目標へのその経路を継続するが、一方推進かごは、短い飛行距離の後に地上に落下する。
【０００３】
本発明の課題は、別の小口径の猟銃弾を提供することにある。
【０００４】
この課題は、次のようにして解決される。すなわち猟銃弾が、推進かご内に配置されており、かつ軸線方向通過穴を持つ銃弾周面を有し、この通過穴内において、銃弾心が軸線方向に案内されており、この銃弾心が、空気抵抗の少ない尖端を有する銃弾頭部、及び底板を後端に有する銃弾軸からなり、発射展開の前に、銃弾頭部が銃弾周面内に沈められており、かつ銃弾軸が銃弾周面の後側端部から突出しており、一方発射展開の直後に、銃弾頭部の尖端が銃弾周面から前方に出るように、銃弾周面と銃弾心が互いに相対的に移動し、その際この運動が、銃弾周面の後側端部に当たる銃弾軸の底板によって制限され、達成される外部弾道的に望ましい銃弾の形が、少なくとも飛行段階の間、銃弾周面（２）への銃弾軸（８）の固定により維持される。
【０００５】
本発明のその他の有利な構成は、特許請求の範囲従属請求項から明らかである。
【０００６】
発射展開の始めに、構成されたガス圧力は、銃弾周面内において銃弾心をストッパにまで前方に推進し、かつそれにより銃弾の最終的な形を製造する。それにより銃弾心と銃弾周面のための相応する材料選択の際に、質量重心は後方に移され、このことは、完全に又は部分的に旋条を有する銃身を有する猟銃からの射撃の際に、良好な発射精度を保証する。
【０００７】
猟銃弾において、利用された比較的累進的な発射火薬粉末を考慮して、変形可能な中間手段を使用することは通常のことであり、これらの中間手段は、本来の銃弾と発射火薬との間に配置されており、かつガス圧力展開の際に圧縮され、それにより燃焼室が拡大され、したがってガス圧力尖頭値が解体される。その質量慣性に基づいてまず不変の銃弾周面に対して相対的に推進かごとともに銃弾心が移動することによって、本発明による銃弾において同じ効果が達成される。実験の際に、存在するスリーブ空間に応じて、この銃弾は、緩衝する又は緩衝しない中間手段とともに使用することができる。
【０００８】
最終的な銃弾の形の製造の後に、銃弾飛行経路に作用するせき止め圧力が銃弾心を押し戻さないことを保証しなければならない。このことは、明らかなように銃弾周面と銃弾心との間の相応する整合の調節によって実現することができるので、銃弾心は、その摺動運動の最後に銃弾周面内において締付けられている。この締付け作用は、例えば銃弾心の刻み目形成によって達成することができ、この刻み目形成は、発射展開の際に多かれ少なかれ強力に銃弾周面の内壁に“食込む”。
【０００９】
本発明により構成された猟銃弾は、目標媒体に侵入する際に、銃弾のきのこ化とも称する目標弾道的に望ましい横断面の拡大を達成するために、多様な可能性を提供する。すでに目標に当たる際に圧縮される銃弾心だけによって、銃弾周面のきのこ化が達成される。それ以上の改善は、次のようにして達成される。すなわち銃弾周面に対して、例えば鋼からなることができる銃弾心のためのものより軟らかい材料、例えば銅が選択される。銃弾周面のきのこ化特性を制御するために、この銃弾周面の壁厚さも相応して変化することができ、又は目標折り位置を設けることができる。
【００１０】
銃弾の横断面拡大へのそれ以上の影響は、銃弾周面の内面及び銃弾心の輪郭が相応する形成を有し、これらの形成が目標媒体に当たりかつこれを貫通することによって形及び寸法に関して制御される銃弾の変形を導入することにあることができる。
【００１１】
さらに銃弾周面の機首側端部を開いて又は厚く形成することが可能である。前者は、きのこ化の一層迅速な開始を引起こす。厚くした開口は、変形を遅らせるが、改善された形状値によって、外部弾道の利点及び目標における一層大きな深さ作用を有する。利用目的に応じて、一方又は他方の構成を使用することができる。
【００１２】
しかしすでに変形していない状態においても、本発明による銃弾は、ディアボロ形の周知のサボート銃弾に対して、６０％だけ大きな銃弾横断面積を有し、かつ１００ｍにおける命中エネルギーに関するものを、そのもっとも強力な実験によって測定することができる。それ故に本発明による銃弾は、テイラーによって開発されたＫＯ式による評価の際にも比較的良好な結果になる。
【００１３】
本発明の構成において、銃弾頭部の尖端は、大体において細い円錐形の形を有する。銃弾頭部が、装填した状態において大部分銃弾周面内に沈んでいるので、この形が可能である。パトローネを装填した際に、銃弾頭部の尖端は、それによりパトローネの縁曲げしたスリーブ口を越えて突出しないので、パトローネは、危険なく管マガジンを有する武器からも撃ち尽くすことができる。
【００１４】
本発明の１つの構成において、銃弾頭部は、銃弾心の移動の最後に、その外周によって銃弾周面の内周に接し、すなわち銃弾の機首側端面は閉じられており、その際、銃弾頭部円錐形の尖端は、この端面を越えて突出する。この形成により銃弾は、弾道的に望ましい形を有する。その弾道係数は、この時、平らな頭部又は最善の場合暗示された小さな銃弾尖端を有する従来の猟銃弾のものよりほぼ１００％だけ大きい。その結果、同じ口径のかつほぼ同じ大きさの出力値を有する銃弾に対して、口においてほぼ１００ｍの発射距離の際に、明らかに大きな命中エネルギー、引き延ばされた飛行経路、及びわずかな横風影響が記録される。銃弾周面の機首側端面によって形成される鋭い縁も有利であり、この鋭い縁は、口径の大きな射入口を提供する。
【００１５】
本発明による小口径の猟銃弾は、周知のいわゆる“サボート”銃弾に対して、ほぼ同じ大きさの弾道係数において一層大きな口径（Ｋａｌ．１２において１２ｍｍφ）の利点を有する。有害物質のない銃弾として構想されている。特殊な要求に対して鉛からなる銃弾が望まれる場合、このことは、大きな問題なく実現することができる。基本的にとくに適当な材料への切換え、及び／又は例えば変化した形における銃弾心の硬化のような特別の加工方法の適用、例えば官庁の範囲のような特殊使用分野に対する銃弾も、適当とわかった。
【００１６】
本発明による猟銃弾は、とくに完全に又は部分的に旋条を有する銃身に使するために構想されている。なめらかな銃身からの射撃は、推奨に値しない。旋条を有する銃身によれば、１００ｍの範囲まで、良好な発射精度、高い命中エネルギー、及び大きな変形準備が生じる。このことは、最近ますます頻繁に設定される要求である。なぜなら多くの国において、大きな危険範囲のために狩猟実行の際にブシュパトローネの利用が禁止されているからである。
【００１７】
次に本発明を実施例により詳細に説明する。
【００１８】
図１及び２に示された猟銃弾１は、銅からなる円筒形の銃弾周面２、及びその中に可動に配置された銃弾心３からなる。この銃弾心３は、銃弾軸８及び銃弾頭部３．１からなり、その際、銃弾頭部３．１は、細い円錐形尖端４、円筒形区間５、及び尾部側の円錐台形の区間６を有する。銃弾心３を収容しかつ案内するために、銃弾周面２は、端から端まで延びかつ段部を有する長手穴７を有する。この長手穴の前側の円筒形区間７．１内に、銃弾頭部３．１が、その円筒形の区間５によって案内されており、この区間は、相応する遊びを持って穴区間７．１の壁に接している。尾部側において長手穴７内に、円錐形の移行部７．２が設けられており、この移行部は、銃弾頭部３．１の円錐台形の区間６を形状結合して収容している。長手穴７は、円錐形の移行部７．２に続いて、減少した直径の円筒形の区間７．３に移行しており、この区間に、それに対して拡大された直径を有する円筒形の区間７．４が続いている。銃弾頭部３．１は、軽金属又は合成物質からなる。
【００１９】
銃弾心３は、銃弾周面２の区間７．１におけるその案内に加えて、ここに取付けられ又はこれに一片で形成された底板９を有する銃弾軸８により案内され、かつ保持される。銃弾軸８と底板９は、鋼又は相応する強さの別の材料からなる。これは、一層大きな直径の後側区間８．１及び一層小さな直径の前側区間８．２を有する。
【００２０】
長手穴７の端部区間７．４に、中心穴を有する合成物質製のクランプ円板１０が挿入されており、この中心穴を通って、適当な様式で銃弾頭部３．１に結合するために、猟銃弾１を組み立てる銃弾軸８の区間８．２が案内される。この状態において（図１参照）銃弾軸８の区間８．１及び８．２の間の段部は、クランプ円板１０上に載っている。前記の組み立てた状態において、猟銃弾１は推進かご１１内に挿入され、かつこれとともにパトローネスリーブ１２内に装填される。推進かご１１は、底部１１．１を有し、ここからその周上に分散して、４つの指１１．２が突出しており、これらの指は、狭い長手スリット１１．４によって互いに切離されている。指１１．２は、銃弾周面２及び底板９の周を囲んでおり、この底板は、推進かご１１の底部１１．１上に載っている。さらにこれらの指のつめ形の前側端部１１．３は、銃弾周面２の機首側の端面２．１を回りからつかんでおり、かつそれによりこれを固定している。他方において推進かご１１は、パトローネスリーブ１２の口における曲げ縁１２．１によって軸線方向に固定されている。図１は、猟銃弾１の前記の実験を示している。それにより、銃弾頭部３．１が装填された状態において大部分銃弾周面２内に沈んでおり、かつパトローネスリーブから１２から突出しないことがわかる。発射火薬及び雷管によるパトローネの撃針側の閉鎖は、図１に示されていない。
【００２１】
図１に示されたパトローネが発射されるとき、発射展開の最初に生じるガス圧力は、推進かご１１を加速する。それによりパトローネスリーブ１２の曲げ縁１２．１は引裂かれ、かつ推進かご１１は、パトローネ支持体１４から銃身１３内に侵入する。同時に銃弾頭部３．１と銃弾軸８からなる銃弾心３は、前方へ動くが、一方銃弾周面２は、その質量慣性に基づいて、まずその静止位置において不変である。その際、銃弾軸８は、その比較的鋭い縁の段部によってクランプ円板１０を押し抜き、かつ続いて底板９が銃弾周面２の尾部側端面２．２に当たるときに、これにより固定クランプされる。それにより猟銃弾の最終的な形が維持されている。この形は、図２から明らかであり、この図２は、すでに推進かご１１を投げ捨てられた猟銃弾１を示している。
【００２２】
底板９の前側端面９．１と銃弾周面２の尾部側端面２．２との間の間隔ａは、装填された状態において、銃弾周面２の機首側端面２．１と円錐尖端４の底面４．１（図１参照）との間の間隔ｂに等しい。それにより銃弾頭部３．１が、発射展開の後にその円錐尖端４によって完全に銃弾周面２から出ていることが保証されている。同時にこの時に円錐尖端４の底面４．１によって閉じられた銃弾周面２の機首側端面２．１は、猟銃弾１の良好な弾道の形において、口径の大きな鋭い縁を形成している。
【００２３】
図３及び４に、猟銃弾１のための別の実施例が示されている。これらの図において同じ又は同じ作用の構成部分は、本発明の前の実施例と同じ参照符号を有する。
【００２４】
図示した猟銃弾１は、同様に銅からなる銃弾周面２からなり、この銃弾周面内に銃弾心３が、軸線方向に可動に配置されている。これは、推進かご１１とともにパトローネスリーブ１２内に実験されている。推進かご１１及びパトローネスリーブ１２内における猟銃弾１の配置は、図１による配置と全く同じなので、繰り返しを避けるために、これに関する前記の説明を参照されたい。
【００２５】
銃弾心３は、銃弾頭部３．１及び銃弾軸８から一片で構成されており、その際、銃弾頭部３．１は、互いに並べてかつ前から始めて、円錐台形の形の細い尖端４、円筒形の区間５、及び尾部側の円錐台形の区間６を有する。円錐台形の区間６に銃弾軸８が続いている。これは、銃弾頭部３．１の区間６に隣接する円錐台形の移行部分８．３からなり、この移行部分は、円筒形の区間８．４に移行している。この円筒形の区間８．４の端部にこれと一片で底板９が形成されている。円筒形の区間８．４は、刻み目１５を備えている。
【００２６】
銃弾周面２は、通過穴７を有し、この通過穴は、尾部側において円筒形の区間７．３から、かつ機首側において前方に広がる円錐形の区間７．４からなる。この区間７．４において銃弾周面２の壁厚さは定常的に減少している。これは、内方に直角に折り曲げられたカラー１６への移行部において、目標折り位置をなすそのもっとも弱い位置を有し、このカラーは、通過穴７の円筒形の区間７．３の直径を有する開口１７を空けている。
【００２７】
銃弾心３は、装填状態（図３）において、銃弾頭部３．１の円筒形の区間５及び銃弾軸８の円筒形区間８．４の上側区間を介して、通過穴７の円筒形区間７．３の内壁に支持されており、かつそれにより銃弾周面２内において半径方向に固定されている。銃弾周面２内におけるその軸線方向の固定は、装填状態において、銃弾軸８の刻み目１５の短い区間が、図３から明らかなように、銃弾周面２の通過穴７内に押込まれることによって行なわれる。それにより銃弾周面２と銃弾心３は、互いに固定されており、このことは、猟銃弾１の実験のために再現可能な状態を生じる。
【００２８】
発射展開の際に、前の実施例について説明した過程が起こる。唯一の相違点は、ここでは保持円板１０が設けられておらず、銃弾軸８の刻み目１５が銃弾周面２の通過穴７の円筒形区間７．３の内壁に完全に押込まれ、それにより銃弾心３と銃弾周面２との間のきわめて強固な結合が行なわれることにある。
【００２９】
発射展開の最後に、猟銃弾１は、図４に示した最終的な形を有し、その際、推進ミラー１１は、すでに投出されている。この表示によれば、銃弾頭部３．１の円筒形の区間５が、カラー１６の開口１７を完全に満たすので、銃弾周面２が、機首側において閉じられていることは明らかである。この構成、及び銃弾頭部３．１の細い円錐台形の尖端４は、猟銃弾１に良好な外部弾道特性を与える。
【００３０】
しかしこの猟銃弾１の目標弾道特性も優れている。これは、きわめて良好なきのこ化（横断面拡大）の際に大きな深さ作用を有する。目標に当たる際に、カラー１６は、目標折り位置において内方に折れ、それにより猟銃弾１は、その機首側の端面２．１において開く。目標媒体を突抜ける際に、これは、それにより通過穴７の円錐形区間７．４と銃弾頭部３．１の円錐台形区間６と銃弾軸８の円錐形移行区間８．３との壁の間に形成される開いた空間内に圧迫されることができる。それにより円錐形区間７．４の外方に傾斜した壁によって促進されて、銃弾周面２の上側縁範囲は、外方に折返され、すなわち銃弾横断面は、所望のように拡大する。その上さらに銃弾周面２の前記のきのこ化に基づいて、細い銃弾尖端４は、銃弾周面２の変形の程度に依存してこれに対して相対的に見て突出する。このことは、猟銃弾１の旋回によって支援されて、目標媒体内に直線的に延びる発射通路を引起こすので、この猟銃弾１は、その他の銃弾よりわずかに、目標内において横向きになり又はよろめく傾向を有する。
【００３１】
図５に、本発明による猟銃弾１の別の実施例が、図２及び４と同様に示されている。パトローネスリーブ内における実験の表示は、これが図４と全く同じであるので、省略されている。
【００３２】
図５に示された猟銃弾１において前の実施例の銃弾に対する唯一の相違点は、機首側の端面２．１におけるカラー１６が省略されていることにある。したがってここでは銃弾周面２は、その機首側において前方へ開いている。この形成に基づいて、目標内における銃弾周面２のきのこ化は、遅れることなく始まり、したがってこれは、前記の実施例におけるものより大きい。一層わずかな深さ作用及び外部弾道的な欠点（空気抵抗、飛行経路）によって、この目標弾道的な利点はあがなわれる。
【図面の簡単な説明】
【図１】  パトローネスリーブ内に実験された小口径猟銃弾を示す銃弾心を断面にしない断面図である。
【図２】  発射展開の後における図１による猟銃弾の図である。
【図３】  猟銃弾の別の構成を有する図１による表示の図である。
【図４】  発射展開の後における図３による猟銃弾の図である。
【図５】  猟銃弾の別の構成の図２又は４による表示の図である。
【図１】
0004207177.tif 000002
【図２】
0004207177.tif 000003
【図３】
0004207177.tif 000004
【図４】
0004207177.tif 000005
【図５】
0004207177.tif 000006